(57)【要約】      （修正有）【課題】その頂部に開口を有する容器に設けられる無針注射器コネクタ蓋を提供する。【解決手段】蓋１は、弾性的に変形可能なプラスチックバルブ本体３を備える。バルブ本体３は第１および第２の通路３７、３８を備え、各通路はバルブ本体を貫通して延在する。両方の通路は、通気バルブとして構成され、通路の最下端部にクロススリットバルブを備える。第１の通路３７は、第１のテーパー付きの注射器先端部を受容するように構成されており、第２の通路３８は、第２のテーパー付きの注射器先端部を受容するように構成されており、第１（第２）通路が形成された第１（第２）のテーパー付きの注射器先端部を使って、蓋１が配置されている容器から第１（第２）の通路を介して流体が抜き取られると、第２（第１）のクロススリットバルブは、抜き取りから生じる容器内の負圧に応じて開き、これにより、容器を通気させる。【選択図】図１
0003219248.tif 000002
【実用新案登録請求の範囲】
【請求項１】
その頂部に開口（２６）を有する容器（２）に設けられる無針注射器コネクタ蓋（１）であって、前記蓋は、
前記容器（２）の前記頂部で前記開口（２６）内または上方に設けられる弾性的に変形可能なプラスチックバルブ本体（３）であって、上面（３４）および底面（３９）を有するバルブ本体（３）を備え、
前記バルブ本体（３）は、第１の通路（３７）及び第２の通路（３８）を備え、各第１及び第２の通路（３７、３８）は、前記上面（３４）から前記底面（３９）まで前記バルブ本体（３）を通って延在しており、
前記第１の通路（３７）は、前記第１の通路（３７）の最下端に第１のクロススリットバルブ（３１２）を備え、
前記第１のクロススリットバルブは、通気バルブとして形成され、
前記第２の通路（３８）は、前記第２の通路（３８）の最下端に第２のクロススリットバルブ（３１３）を備え、
前記第２のクロススリットバルブは、通気バルブとして形成され、
前記第１の通路（３７）は、第１の直径を有するテーパー付きの第１の注射器先端部（５１）、例えば、第１のルアースリップ注射器先端部または第１のカテーテル注射器先端部を受容するように構成されており、前記第１の先端部（５１）は、前記バルブ本体（３）の前記上面（３４）から前記第１の通路（３７）に挿入可能であり、かつ、前記第１の通路（３７）は、前記第１の先端部（５１）が前記第１の通路（３７）に挿入されている際に、前記第１の先端（５１）の周りを密封し、
前記第２の通路（３８）は、第２の直径を有するテーパー付きの第２の注射器先端部（６１）、例えば、第２のルアースリップ注射器先端部または第２のカテーテル注射器先端部を受容するように構成されており、前記第２の先端部（６１）は、前記バルブ本体（３）の前記上面（３４）から前記第２の通路（３８）に挿入可能であり、かつ、前記第２の通路（３８）は、前記第２の先端部（６１）が前記第２の通路（３８）に挿入されている際に、前記第２の先端（６１）の周りを密封し、
前記第１の通路（３７）が形成される第１のテーパー付き注射器先端部（５１）を使って前記第１の通路（３７）を介して、前記蓋（１）が設けられる前記容器（２）から流体が引き抜かれる際、前記第２のクロススリットバルブ（３１３）が引抜の結果生じる前記容器（２）内の負圧に応じて開き、これにより、前記容器（２）が通気し、
前記第２の通路（３８）が形成される第２のテーパー付き注射器先端部（６１）を使って前記第２の通路（３８）を介して、前記蓋（１）が設けられる前記容器（２）から流体が引き抜かれる際、前記第１のクロススリットバルブ（３１３）が引抜の結果生じる前記容器（２）内の負圧に応じて開き、これにより、前記容器（２）を通気させることを特徴とする蓋（１）。
【請求項２】
前記第１の直径は、前記第２の直径以上であることを特徴とする請求項１に記載の蓋（１）。
【請求項３】
前記第１のテーパー付き注射器先端部（５１）は、第１のルアースリップ注射器（５１）であり、前記第１の通路は、前記第１のルアースリップ注射器（５１）を受容するようにさらに構成されており、前記第１のルアースリップ先端部（５１）の頂部（５２）が前記第１のクロススリットバルブ（３１２）を通って押し込まれ、前記第１のルアースリップ先端部（５１）の頂部（５２）が前記第１のクロススリットバルブ（３１２）を通って押し込まれ、前記第１のルアースリップ先端部（５１）が前記第１の通路（３７）全体に亘って延在する際、前記第１の通路は、前記第１のルアースリップ先端部（５１）の周りを密封することを特徴とする請求項１または２に記載の蓋（１）。
【請求項４】
前記第１の通路（３７）は、前記第１のルアースリップ注射器（５１）を受容するようにさらに構成されており、前記第１の通路（３７）を画定している前記バルブ本体（３）の面が、ルアーのテーパーより小さいテーパーと、前記第１のルアースリップ先端部（５１）の最初の直径より小さいが同様である直径と、を有する円錐状の面を有し、これにより、前記ルアースリップ注射器先端部（５１）の周りを半径方向に密封することを特徴とする請求項３に記載の蓋（１）。
【請求項５】
前記第１のテーパー付き注射器先端部（５１）は、第１のカテーテル注射器先端部であり、前記第１の通路（３７）が前記第１のカテーテル注射器先端部（５１）を受容するようにさらに構成され、前記第１のカテーテル先端部（５１）の頂部（５２）が、前記第１のクロススリットバルブ（３１２）を通って押し込まれ、前記第１のカテーテル先端（５１）が第１のクロススリットバルブ（３１２）を通って押し込まれ、前記第１のカテーテル先端部（５１）が前記第１の通路（３７）全体に亘って延在する際、前記通路（３７）は前記第１のカテーテル先端部（５１）の周りを密封することを特徴とする請求項１または２に記載のカテーテル。
【請求項６】
前記第１の通路（３７）は、前記第１の通路（３７）への第１の径方向突出部（３７１）をさらに備え、前記第１の突出部（３７１）は、前記第１の通路（３７）の下端に設けられており、前記第１の通路（３７）内に第１の収縮部（３７２）を形成し、
前記第１のテーパー付き注射器先端部（５１）は、第１のカテーテル注射器先端部であり、前記第１の通路（３７）は、前記第１のカテーテル先端部（５１）を受容するようにさらに構成されており、前記第１の突出部（３７１）が、前記第１の通路（３７）内への前記カテーテル注射器先端部（５１）の挿入を制限し、前記第１のカテーテル先端部（５１）の頂部が前記第１の突出部（３７１）上に配置される際、前記第１のカテーテル先端部（５１）が配置された第１の注射器（５）のプランジャの後退によって生成される負圧によって開かれ得、前記第１のカテーテル先端部（５１）が前記第１の突出部（３７１）上に配置されている際は、前記第１の通路（３７）は、前記第１のカテーテル先端部（５１）の周りを密封することを特徴とする請求項１または２に記載の蓋（１）。
【請求項７】
前記第１の通路（３７）は、第１の直径を有する第１のルアースリップ注射器先端部（５１）を受容するようにさらに構成されており、前記第１のルアースリップ注射器先端部（５１）は、前記バルブ本体（３）の前記上面（３４）から前記第１の通路（３７）内へ挿入可能であり、前記ルアースリップ注射器先端部（５１）は、前記第１の通路（３７）内の第１の収縮部（３７２）内へ挿入可能であり、前記ルアースリップ注射器先端部（５１）が前記第１の収縮部（３７２）内に挿入されている際は、前記第１の突出部（３７２）が前記第１のルアースリップ注射器先端部（５１）の周りを密封し、前記第１のルアースリップ注射器先端部（５１）の前記頂部（５２）は、前記第１のクロススリットバルブ（３１２）を通って押し込まれ、これにより、前記第１の通路（３７）全体に亘って延在することを特徴とする請求項６に記載の蓋（１）。
【請求項８】
前記第２のテーパー付き注射器先端部（６１）は、第２のルアースリップ注射器先端部であり、前記第２の通路（３８）は、前記第２のルアースリップ先端部を受容するようにさらに構成され、前記第２のルアースリップ注射器先端部（６１）の頂部（６２）は、第２のクロススリットバルブ（３１３）を通って押し込まれ得、前記第２のルアースリップ注射器先端部（６１）の頂部（６２）が、第２のクロススリットバルブ（３１３）を通って押し込まれ、前記第２のルアースリップ先端部（６１）が第２の通路（３８）全体を亘って延在する際、前記第２の通路（３８）は第２のルアースリップ注射器先端部（６１）の周りを密封することを特徴とする請求項１〜７のいずれか一項に記載の蓋（１）。
【請求項９】
前記第２の通路（３８）は、前記第２のルアースリップ注射器先端部（６１）を受容するようにさらに構成されており、前記第２の通路（３８）を画定している前記バルブ本体（３）の面が、ルアーのテーパーより小さいテーパーと、前記ルアースリップ先端部（６１）の第２の直径より小さいが同様である直径と、を有する円錐状の面を有し、これにより、前記ルアースリップ注射器先端部（６１）の周りを半径方向に密封することを特徴とする請求項８に記載の蓋（１）。
【請求項１０】
前記第２のテーパー付き注射器先端部（６１）は、第２のカテーテル注射器先端部であり、前記第２の通路（３８）が前記第２のカテーテル注射器先端部（６１）を受容するようにさらに構成されており、前記第２のカテーテル先端部（６１）の頂部（６２）が、前記第２のクロススリットバルブ（３１３）を通って押し込まれ、前記第２のカテーテル先端（６１）が前記第２のクロススリットバルブ（３１３）を通って押し込まれ、第２のカテーテル先端部（６１）が前記第２の通路（３８）全体に亘って延在する際、前記通路（３８）は前記第２のカテーテル先端部（６１）の周りを密封することを特徴とする請求項１〜７のいずれか一項に記載のカテーテル。
【請求項１１】
前記第２の通路（３８）は、前記第２の通路（３８）への第２の径方向突出部（３８１）をさらに備え、前記第２の突出部（３８１）は、前記第２の通路（３８）の下端に設けられており、前記第２の通路（３８）内に第２の収縮部（３８２）を形成し、
前記第２のテーパー付き注射器先端部（６１）は、第２のカテーテル注射器先端部であり、前記第２の通路（３８）は、前記第２のカテーテル先端部（６１）を受容するようにさらに構成されており、前記第２の突出部（３８１）が、前記第２の通路（３８）内への前記第２のカテーテル注射器先端部（６１）の挿入を制限し、前記第２のカテーテル先端部（６１）の頂部（６２）が前記第２の突出部（３８１）上に配置される際、前記第２のカテーテル先端部（６１）が配置された第２の注射器（６）のプランジャの後退によって生成される負圧によって開かれ得、前記第２のカテーテル先端部（６１）が前記第１の突出部（３８１）上に配置されている際は、前記第２の通路（３８）は、前記第２のカテーテル先端部（６１）の周りを密封することを特徴とする請求項１〜７のいずれか一項に記載の蓋（１）。
【請求項１２】
前記第２の通路（３８）は、第２の直径を有する第２のルアースリップ注射器先端部（６１）を受容するようにさらに構成されており、前記第２のルアースリップ注射器先端部（６１）は、前記バルブ本体（３）の前記上面（３４）から前記第２の通路（３８）内へ挿入可能であり、前記ルアースリップ注射器先端部（５１）は、前記第２の通路（３８）内の第２の収縮部（３８２）内へ挿入可能であり、前記第２のルアースリップ注射器先端部（６１）が前記第２の収縮部（３８２）内に挿入されている際は、前記第２の突出部（３８１）が前記第２のルアースリップ注射器先端部（６１）の周りを密封し、前記第２のルアースリップ注射器先端部（６１）の前記頂部（６２）は、前記第２のクロススリットバルブ（３１３）を通って押し込まれ、これにより、前記第２の通路（３８）全体に亘って延在することを特徴とする請求項１１に記載の蓋（１）。
【請求項１３】
前記蓋（１）は、環状のクランプ部分（４１）と中空の円筒状の固定部分（４２）とを備える旋回ナット（４）をさらに備えており、前記バルブ本体（３）は、中央の流体抜取部分（３１）とシーリング部分（３３）とを備え、前記第１及び第２の通路（３７，３８）は、前記流体抜取部分（３１）を貫通して延在し、前記シーリング部分（３３）は、前記流体抜取部分（３１）から径方向外側に設けられ、前記旋回ナット（４）の前記クランプ部分（４１）は、前記バルブ本体（３）の前記シーリング部分（３３）の少なくとも一部の上に設けられることを特徴とする請求項１〜１２のいずれか一項または複数に記載の蓋（１）。
【請求項１４】
前記バルブ本体（３）は、前記流体抜き取り部分（３１）の上方部分から半径方向外側にある固定部分（３２）であって、前記旋回ナット（４）の前記環状クランプ部分（４１）の内周よりも大きい最大幅を有する固定部分（３２）と、前記バルブ本体（３）内に半径方向に延在する溝（３１０）と、を備え、前記固定部分（３２）は前記溝（３１０）の上の設けられており、前記シーリング部分（３３）は、前記溝の下に設けられており、これにより、組立状態において、環状のクランプ部分（４１）の内側部分が前記溝（３１０）内に設けられ、前記バルブ本体（３）の前記固定部分（３２）は、前記前記旋回ナット（４）の前記クランプ部分（４１）の上に少なく部分的に設けられ、これにより、前記バルブ本体（３）を前記旋回ナット（４）に固定することを特徴とする請求項１〜１３の１つまたは複数に記載の蓋（１）。
【請求項１５】
前記バルブ本体（３）の前記底面（３９）は、前記バルブ本体（３）の下方部分に凹部（３１４）を形成するように後退した面部分（３１５）を備え、前記第１の通路（３７）及び第２の通路（３８）は、前記バルブ本体（３）の前記凹部（３１４）内で終端することを特徴とする１〜１４の１つまたは複数に記載の蓋（１）。
【請求項１６】
前記クロススリットバルブ（３１２，３１３）それぞれは、上面及び底面を有し、各クロススリットバルブ（３１２，３１３）がドーム形状であり、前記クロススリットバルブ（３１２，３１３）ぞれぞれの底面は、前記ドーム形状のクロススリットバルブ（３１２，３１３）の凸面として構成されていることを特徴とする請求項１〜１５の一項または複数に記載の蓋（１）。
【請求項１７】
前記第１のクロススリットバルブ（３１２）は、第１の上面及び第１の底面を有し、前記第１のクロススリットバルブ（３１２）が閉じられた際、前記第１の底面は、前記バルブ本体（３）の前記底面（３９）の隣接部分と面一であり、
前記第２のクロススリットバルブ（３１３）は、第２の上面及び第２の底面を有し、前記第２のクロススリットバルブ（３１３）が閉じられた際、前記第２の底面は、前記バルブ本体（３）の前記底面（３９）の隣接部分と面一であることを特徴とする請求項１〜１６の一項または複数に記載の蓋（１）。
【請求項１８】
容器（２）であって、前記容器（２）から流体が抜き取られる際に、前記容器（２）内に負圧が生じ、その頂部に開口（２６）を有する容器（２）と、
請求項１〜１７の一項または複数に記載の蓋（１）であって、前記蓋（１）は、前記容器（２）の頂部に配置される、蓋（１）と、
を備えるシステムであって、
前記容器（２）には、前記容器（２）の頂部分（２１）に雄ねじ部分（２４）が設けられ、前記蓋部（１）は、前記容器（２）上に前記蓋（１）を保持する雌ねじ部（４５）を有する旋回ナット（４）をさらに備え、前記旋回ナット（４）は、環状のクランプ部分（４１）と中空の円筒状の固定部分（４２）とを備え、
前記バルブ本体（３）は、中央流体抜き取り部分（３１）及びシーリング部分（３３）を備え、前記第１および第２の通路は、前記流体抜き取り部分（３３）を貫通して延在し、
前記シーリング部分は、前記流体抜き取り部分（３１）から半径方向外側に設けられ、旋回ナット（４）のクランプ部分（４１）は、前記バルブ本体（３）の前記シーリング部分（３３）の少なくとも一部の頂部上に設けられ、前記蓋（１）は前記容器（２）上に保持される際、前記シーリング部分（３３）は、前記容器（２）の上面と前記旋回ナット（４）の前記クランプ部分との間に挟まれ、これにより、前記容器（２）と前記蓋（１）との間を密封することを特徴とするシステム。
【請求項１９】
請求項１〜１７のいずれか一項に記載の蓋（１）、
その頂部に開口（２６）を有する容器（２）であって、前記蓋（１）は、前記容器（２）前記頂部に前記開口（２６）内または前記開口（２６）より上方に少なくとも部分的に配置される、容器（２）、
第１の直径を有する第１のテーパー付き注射器先端部（５１）を有する第１の注射器（５）であって、第１の注射器（５）は、好ましくは、偏心した第１のルアースリップ注射器先端部であり得る第１のルアースリップ注射器先端部、または、第１のカテーテル注射器先端部を有し、前記蓋（１）の前記第１の通路（３７）は、前記第１のテーパー付きの注射器先端部（５１）を受容するように構成されている、第１の注射器（５）、及び、
第２の直径を有する第２のテーパー付き注射器先端部（６１）を有しする第２の注射器（６）であって、第２の注射器（６）は、好ましくは、偏心した第２のルアースリップ注射器先端部であり得る第２のルアースリップ注射器先端部、または、第２のカテーテル注射器先端部を有し、前記蓋（１）の前記第２の通路（３８）は、前記第２のテーパー付きの注射器先端部（６１）を受容するように構成されている、第２の注射器（６）、
を有することを特徴とするシステム。
【請求項２０】
容器（２）から流体を抜き取る方法であって、
請求項１から１９のいずれか一項に記載の蓋（１）及び／またはシステムを使用する、前記当該方法は、
前記蓋（１）の前記上面から前記第１の通路（３７）に前記第１のテーパー付きの注射器先端部（５１）を有する前記第１の注射器（５）を挿入するステップであって、これにより、前記先端部（５１）の前記頂部（５２）が前記第１の通路内に挿入された際、前記第１の通路（３７）が前記第１の先端部（５１）の周りを密封する、ステップ、
前記第１のテーパー付きの先端部（５１）を介して前記容器（２）から前記第１の注射器（５）内に流体を抜き取るステップであって、前記第２のクロススリットバルブ（３１３）は、前記抜き取るステップの結果生じる前記容器（２）内の負圧に応じて前記第２のクロススリットバルブ（３１３）が開き、これにより、前記容器（２）を通気させる、ステップ、及び、
前記第１の通路（３７）から前記第１のテーパー付きの先端部（５１）を取り外すステップであって、このステップ後、第１のクロススリットバルブ（３１２）が前記第１の通路（３７）を自動的に閉じ、前記第２のクロススリットバルブ（３１３）が第２の通路を閉じ、これにより、前記容器（２）を周囲から密封する、ステップ、
を備えることを特徴とする方法。
【考案の詳細な説明】
【技術分野】
【０００１】
本発明は、容器に設けられる蓋の分野に関し、より具体的には、容器に設けられると、蓋内に設けられた無針注射器コネクタによって流体が容器の内部から抜き取られることを可能にする蓋に関する。
【背景技術】
【０００２】
流体の容器からの抜き取り、例えば、流体動物用食品または流体動物用薬剤のような流体食品または流体薬物は、容器に設けられた蓋の中隔を穿刺する針を用いて行われることが多い。この中隔は、例えばゴム材で作られ、鋭い細い針によって穿刺されて流体を抜き取ることができるが、穿刺の前に、場合によっては後にも、流体を気密状態で密封する。中隔は完全に平坦であり得、または、最適な穿刺点を示す小さなマークのみを備え得る。
【０００３】
ある状況では、容器から抜き取られた流体の投与に針は必要ではない。これは、例えば、流体が供給チューブまたは他のタイプのカテーテルに提供される場合、あるいは、例えば、患畜に経口投与される場合であり得る。針の使用は、偶発的な刺すまたは注射の危険を伴うので、不利である場合もある。特定用量の投与を可能にする、鈍いまたは無針の先端を備えた無針注射器の使用が好ましい場合がある。
【０００４】
流体が無針注射器で投与される場合、無針注射器のみを使用して流体を容器から抜き取ることが最もシンプルである。薄い膜が設けられた無針注射器コネクタ蓋で流体を抜き取るために、場合によっては１つまたは複数の裂け目を有する膜が、例えば特許文献１ら公知である。無針注射器の先端で前記コネクタ蓋の薄い膜を貫通させることができる。
【先行技術文献】
【特許文献】
【０００５】
【特許文献１】国際公開第２００２／０６４０７７号
【考案の概要】
【考案が解決しようとする課題】
【０００６】
本発明の目的は、容器に設けられる改良されたコネクタ蓋を提供することであり、コネクタ蓋は、無針注射器を用いて容器から流体を抜き取るのに適している。
【課題を解決するための手段】
【０００７】
本発明の無針注射器コネクタ蓋は、その頂部に開口を有する容器に設けられる。この蓋は、容器の頂部にある開口の中または上に設けられる弾性的に変形可能なプラスチックバルブ本体を備える。バルブ本体は、上面及び底面を有し、バルブ本体は、第１の通路及び第２の通路を備える。各通路は、バルブ本体をその上面から下面まで貫通している。
【０００８】
一実施形態では、容器は、ボトル、例えばプラスチックボトルである。
【０００９】
第１の通路は、前記通路の最下端に第１のクロススリットバルブを備え、第１のクロススリットバルブは通気バルブとして構成されている。第２の通路は、通路の最下端に第２のクロススリットバルブを備え、第２のクロススリットバルブは通気バルブとして構成されている。
【００１０】
第１の通路は、第１の直径を有する第１のテーパー付きの注射器先端部、例えば、第１のルアースリップ注射器先端部または第１のカテーテル注射器先端部、を受容するように構成され、第１の先端部がバルブ本体の上面から第１の通路内に挿入可能であり、先端部が第１の通路に挿入された際に第１の通路が第１の先端部の周りを密封する。
【００１１】
第２の通路は、第２の直径を有する第２のテーパー付きの注射器先端部、例えば、第２のルアースリップ注射器先端部または第２のカテーテル注射器先端部、を受容するように構成され、第２の先端部がバルブ本体の上面から第２の通路内に挿入可能であり、先端部が第２の通路に挿入された際に第２の通路が第２の先端部の周りを密封する。
【００１２】
第１の通路が構成された、第１のテーパー付きの注射器先端部を使用して第１の通路を介して本発明の蓋が設けられた容器から流体が抜き取られる際、抜取の結果生じる容器内の負圧に応じて第２のクロススリットバルブが開き、これにより、容器を通気させる。第２の通路が構成された、第２のテーパー付きの注射器先端部を使用して第２の通路を介して本発明の蓋が設けられた容器から流体が抜き取られる際、抜取の結果生じる容器内の負圧に応じて第１のクロススリットバルブが開き、これにより、容器を通気させる。
【００１３】
本明細書では、蓋および容器を説明するために、「上」、「下」および「下向き」との用語、ならびに垂直方向を説明する同様の用語は、本発明の無針注射器コネクタ蓋が容器上に設けられ、容器の一面は基板と接触しており、この面は蓋と比較して容器の反対側にある基板と接触している、貯蔵方向を参照している。容器から流体を抜き取る際、蓋を有する容器は、貯蔵方向に対して傾けられる可能性があり、場合によって流体の抜き取りを容易にするように逆さまにされる可能性がある。
【００１４】
本発明の蓋は、その頂部に開口を有する容器に設けられ、容器の第１および第２の通路を介して容器の内部から流体を抜き取ることができる。抜き取り中、蓋及び容器は傾けられる、さらには逆さまされる可能性がある。容器からの流体の漏れは、漏れは汚く、、貴重な流体が失われる場合もあるため、蓋および容器のこの方向において避けられるべきである。抜き取り中、注射器先端部と蓋との間に流体漏れが起こり得る。このような漏れを防止するために、本発明の蓋の第１および第２の通路は、流体が容器から抜き取られるべき第１および第２のテーパー付きの注射器先端部それぞれを受容するように構成される。第１の通路は、第１の先端部が第１の通路を通って延在し、第１の通路が第１のテーパー付きの注射器先端部の周りを密封し、これにより、注射器先端部と蓋との間の漏れを防止する。同様に、第２の通路は、第２の先端部が第２の通路を通って延在する際、第２の通路が第２のテーパー付きの注射器先端部の周りを密封し、これによって注射器先端部と蓋との間の漏れを防止する。
【００１５】
当然のことながら、前記蓋を通る流体の漏出は、常に、従って、流体の引き抜きがないときも防止されるべきである。したがって、本発明の蓋の通路は密封可能である。より具体的には、通路の各々には、その最下端にクロススリットバルブが設けられ、各スリットバルブは、その通路を密封することを可能にする。
【００１６】
上記のような流体の抜き取りは、容器内の負圧を伴う。負圧は、容器からの流体の抜き取りを妨げるかまたは不可能にする可能性があるので、除去されるべきである。したがって、本発明の蓋のクロススリットバルブは、周囲空気が容器に入ることができるように、負圧の場合に開く通気バルブとして具体化されている。より具体的には、第１の通路に挿入された第１のテーパー付きの注射器先端部を使用して流体が抜き取られる際、第２のクロススリットバルブは、抜き取りから生じる容器内の負圧に応じて開き、容器を通気させる。第２の通路に挿入された第２のテーパー付きの注射器先端部を使用して流体が抜き取られる際、第１のクロススリットバルブは、抜き取りから生じる容器内の負圧に応じて開き、容器を通気させる。
【００１７】
したがって、クロススリットバルブは、無針注射器を使用して流体の抜き取りを可能にする機能と、通気を可能にする機能とを併せ持つ。全体として、無針注射器コネクタ蓋は、クロススリットバルブが通気して、抜き取りを容易にし、かつ、漏れを防止するように、抜き取り中のテーパー付きの注射器先端部の周りを密封する通路の提供を介して漏れを防止しすることにより、選択されたテーパー付きの嵌合注射器先端部を使用して効果的な流体の引き抜きを可能にする。
【００１８】
一実施形態では、第１および第２の通路は異なる直径を有し、異なる直径の注射器先端部を受容するように適合されている。
【００１９】
別の実施形態では、第１および第２の通路は同じ直径を有し、等しい直径を有する注射器先端部を受容するように適合されている。
【００２０】
したがって、蓋は、それぞれがルアーテーパ注射器先端部に適合する２つの通路を備え得る。ルアーテーパー注射器先端部は、同じ直径または異なる直径を有し得る。
【００２１】
同様に、蓋は、それぞれがカテーテル注射器先端部に適合する２つの通路を含むことができる。カテーテル注射器先端部は、同じ直径または異なる直径を有し得る。
【００２２】
同様に、蓋は、それぞれがルアーテーパ注射器先端部およびカテーテル注射器先端部の両方に適合する２つの通路を備え得る。
【００２３】
好ましくは、ルアースリップ注射器先端部に適合する第１および／または第２の通路は、直径２ｍｍ〜６ｍｍ、例えば４ｍｍの直径を有するルアースリップ注射器先端部に適合される。
【００２４】
好ましくは、第１および／または第２の通路は、カテーテル注射器先端部に適合され、直径４ｍｍ〜８ｍｍ、例えば６ｍｍの直径を有するカテーテル注射器先端部に適合される。
【００２５】
好ましくは、第１のテーパー付き注射器先端部は、第１のルアースリップ注射器先端部であり、第１の通路は、第１のルアースリップ先端部を受容するようにさらに適合され、第１のルアースリップ先端部の頂部が第１のクロススリットバルブを通って押し込まれ、かつ、第の１ルアースリップ先端部が前記第１の通路全体に亘って延在する際、第１の通路が第１のルアースリップ先端部の周りを密封する。
【００２６】
ルアースリップ注射器先端部は、６％のテーパー付きの円錐形の継手であり、これには、例えば、針が取り付けられる継手などの多くの雌型の継手が連結され得る。雄型および雌型の継手は摩擦によって、すなわち締り嵌めによって互いに保持される。ルアースリップ注射器先端部は、医療機器の標準的なフィッティングであり、ＩＳＯ８０３６９−７：２０１０に記載されている。
【００２７】
好ましくは、第１の通路は、第１の通路を画定するバルブ本体表面が、ルアーテーパよりも小さいテーパー付きの円錐面を有し、かつ、第１の通路よりも小さいが同様の直径を有する第１のルーアスリップ注射器先端部を受容し、これにより、第１のルアースリップ注射器先端部の周りを半径方向に密封するようにさらに構成される。この実施形態では、ルアースリップ先端部が第１の通路に固定されるまで挿入され、ルアースリップ先端部は、先端部の頂部がクロススリットバルブを通って押し込まれ、通路全体に亘って延在するところまで挿入された後にのみ固定されるように構成されている。
【００２８】
したがって、注射器先端部と蓋との間の密封は、クロススリットバルブではなくバルブ本体の円錐面上での半径方向の密封である。円錐面での半径方向の密封は、クロススリットバルブでの密封よりも信頼性の高い密封をもたらすことが期待される。
【００２９】
別の好ましい実施形態では、第１のテーパー付き注射器先端部は、第１のカテーテル注射器先端部であり、第１の通路は、第１のカテーテル注射器先端部を受容するようにさらに適合され、第１のカテーテル注射器先端部の頂部は、第１のクロススリットバルを通って押し込まれ得、第１のカテーテル先端部の頂部が第１のクロススリットバルブを通って押し込まれ、第１のカテーテル先端部が第１の通路全体に亘って延在する際、
、通路が第１のカテーテル先端部の周りを密封する。
【００３０】
カテーテル先端部は、比較的大きな容積の注射器で頻繁に使用されるテーパー付きの注射器先端部である。例えば、ルアースリップ先端部は、数ｍＬ〜数十ｍＬの容量を有する注射器に備えられ得、カテーテル先端部は、数十ｍＬの容量を有する注射器に備えられ得る。さらに、カテーテル先端部は、通常、流体がカテーテルまたは胃瘻チューブに供給される注射器に備えられる。
【００３１】
さらに別の好ましい実施形態では、第１の通路は、第１の通路内への第１の半径方向突出部をさらに備える。第１の突出部は、第１の通路の下端に設けられ、第１の通路に第１収縮部を形成する。この実施形態では、第１のテーパー付き注射器先端部は、第１のカテーテル注射器先端部であり、第１の通路は、さらに、第１の突出部がカテーテル注射器先端部の通路への挿入を制限し、第１のカテーテル先端部が配置された第１の注射器のプランジャの後退によって生じる負圧によって第１のクロススリットバルブが開かれ得、第１のカテーテル先端部が第１の突出部上に設けられている際は、第１の通路は、第１のカテーテル先端部の周りを密封する。
【００３２】
第１のクロススリットバルブは、第１の通路の第１の収縮部内に設けら得る。しかしながら、第１のクロススリットバルブは、第１の収縮部の下方に設けられてもよい。
【００３３】
したがって、本発明のいくつかの実施形態では、第１の注射器が第１の通路全体に亘って延在しするように第１のクロススリットバルブを通って押し込まれ、他の実施形態では、第１の注射器が第１の通路内に、しかし、貫通せずに延在する。
【００３４】
第１のクロススリットバルブおよび第２のクロススリットバルブは、両方とも複数のバルブセクション、好ましくは、４つのバルブセクションを備える。クロススリットバルブは、好ましくは、負圧の存在下で迅速に開閉し、これにより、反復開口を介して負圧を除去する。
【００３５】
第１の注射器が第１のクロススリットバルブを通って押し込まれる実施形態では、上面にかかる圧力に応答するバルブセクションは、テーパー付き注射器先端部のための空間を形成するように、下方および半径方向外側に曲がる。テーパー付きの注射器先端部がこのようにしてクロススリットバルブに押し込まれた際、クロススリットバルブセクションは、バルブ本体の底面の下方に部分的に延在し得る。
【００３６】
第１の注射器がその中に設けられた突出部まで第１の通路内に延在する実施形態では、上述のように生じた負圧に応じて第１のクロススリットバルブが上方にかつ半径方向外側に曲がり、これにより、流体が抜き取られ得る開口を形成する。
【００３７】
本発明の蓋の実施形態では、第１の通路は、上述のように第１の突出部によって挿入が制限されて、第１のカテーテル先端を受容するように適合されており、第１の通路は、ルアースリップ先端が第１の通路内の第１の収縮部内に挿入可能であり、第１のルアースリップ注射器先端部がバルブ本体の上面から第１の通路内に挿入可能であり、ルアースリップ先端部が第１の収縮部に挿入された際に、第１のルアースリップ注射器先端部の頂部が第１のクロススリットバルブを通って押し込まれ第１の通路全体を亘って延在し得る。
【００３８】
従って、通路は、第１の通路内に延在し得るが、貫通はしない、カテーテル注射針先端部と、第１の通路内に延在し得、かつ、貫通し得るルアーテーパー注射器先端部と、の両方を受容するように形成される。第１の突出部がカテーテル先端の挿入を制限するが、ルアースリップ先端の挿入を制限しないので、ルアースリップ先端の直径はカテーテル先端の直径より小さい。
【００３９】
第２の通路は、第１の通路について上述した実施形態のいずれかに類似する第２のルアーテーパー注射器先端部および／または第２のカテーテル注射器先端部を受容するように形成され得る。
【００４０】
本発明の蓋の弾性的に変形可能なプラスチックバルブ本体は、かかる圧力下での変形を可能にする。このようにかけられる圧力は、テーパー付きの注射器先端部によってかけられる圧力であり得、その結果、クロススリットバルブは、例えば、開けられ、これにより、テーパー付きの注射器先端部は通路全体に亘って延在し、通路が先端部の周りを密封する。変形可能なプラスチックバルブ本体は、例えば、後述するように、旋回ナットによってそれに係る圧力下で変形し、容器と蓋との間を密封する。好ましくは、弾性的に変形可能なプラスチックバルブ本体は、単一のバルブ本体または固体バルブ本体である。さらに、好ましくは、プラスチックバルブ本体はエラストマーバルブ本体である。
【００４１】
バルブ本体は、少なくとも２つの通路、したがって２つのクロススリットバルブを備え、テーパー付き注射器先端部をクロススリットバルブのうちの１つに挿入して流体を抜き取ることを可能にする一方、同時に、１つ以上の他のクロススリットバルブが抜き取りにより生じる容器内の負圧に応じて開き、容器を通気させる。実際に本発明の好ましい実施形態では、バルブ本体は２つの通路しか有さない。
【００４２】
それにもかかわらず、バルブ本体は、２つ以上の異なるテーパー付きの注射器先端部が意図された用途に使用されることが予期される際には、２つ以上の通路、例えば、３つまたは４つに通路を備え得る。
【００４３】
各クロススリットバルブは、テーパー付き注射器先端部によって強制的に開放されていない際、または、負圧に応じて開く際、その通路を密封する。すなわち、クロススリットバルブは「通常閉じた」クロススリットバルブである。バルブ本体が弾性的に変形する能力は前述の通常閉じた状態をもたらすのに役立つ。
【００４４】
クロススリットバルブを通ってテーパー付き注射器先端部を押し込むことと、いずれかの通路に注射器先端部を挿入したときに負圧が発生することの両方がある上で、各スリットバルブは、注射器先端部がいずれかの通路に挿入されない際には、その通過を密封するように閉じる。この状況では、通路が密封されているので、本発明の無針注射器コネクタ蓋を有する容器は、通路のクロススリットバルブを介する漏出なしに上下逆さまにされ得る。
【００４５】
好ましくは、バルブ本体の底面は、バルブ本体の下方部分に凹部を形成するように後退表面部分を備える。第１の通路および第２の通路は、バルブ本体の凹部内で終端する。そのような凹部は、ほぼ空の容器から最後の残りの流体を抽出するの役立ち得る。さらに、容器は、最初に、容器の頂部の開口を密封する取り外し可能なシーリング箔を備え得る。次いで、流体の第１の使用まで箔を適所に残した状態で、蓋が容器に設けられる。後退表面部分を設けることにより、クロススリットバルブと箔との間の直接的な接触が防止され、クロススリットバルブによる偶発的な亀裂の形成または破損が防止される。
【００４６】
各クロススリットバルブは、上面および底面を備える。通路のクロススリットバルブのバルブセクションは、閉鎖されたときに平面内に配置されてもよい。しかし、好ましくは、クロススリットバルブはドーム型であり、各クロススリットバルブにおいて、その底面がドーム型クロススリットバルブの凸面として形成されている。ドーム形状は、クロススリットバルブを通って注射器先端部を強制的に押し上げるのを助け、容器内の流体によって加えられる圧力に対する通路の密封を助ける。蓋が容器に設けられ、容器および蓋が傾いている場合、逆さまになっている可能性がある。このようにして、ドーム形クロススリットバルブは、望ましくない外側への開きを防止する。
【００４７】
第１のクロススリットバルブは、第１の上面および第１の底面を有する。一実施形態では、第１のクロススリットバルブが閉鎖されている際、その第１の底面は、バルブ本体の底面の後退面部分の隣接部分と面一である。同様に、第２のクロススリットバルブは、第２の上面および第２の底面を有し、第２のクロススリットバルブが閉じられる実施形態では、第２の底面は、バルブ本体の底面に設けられている。実施形態では、クロススリットバルブのバルブセクションが開いている際、それらは通路の下に延在し、したがってそれらの外側への移動は通路を画定する面によって制限されない。その結果、クロススリットバルブを通って注射器先端部を強制的に通過させることにより、通路全体を通って延びることがより容易になる。
【００４８】
好ましい実施形態では、蓋は、旋回ナットをさらに備える。旋回ナットは、環状のクランプ部と、中空の円筒状の固定部とを備える。対応するバルブ本体は、中央流体抜き取り部分および密封部分を含む。第１および第２の通路は前記流体抜き取り部を通って延び、シーリング部分は流体抜き取り部から半径方向外側に設けられている。旋回ナットのクランプ部分は、バルブ本体のシーリング部分の少なくとも一部分の頂部に設けられる。
【００４９】
この実施形態では、別個の構成要素、すなわち旋回ナットが、バルブ本体を容器に固定するために設けられている。これは、特に、バルブ本体が容器の頂部の開口の上方に設けられている場合に有益であり得る。
【００５０】
しかしながら、バルブ本体が開口内に設けられ、バルブ本体がそれ自身を容器に固定するようになっている他の実施形態も可能である。例えば、バルブ本体は、バルブ本体の頂部に当接部を備え、当接部は、その開口を取り囲む容器の頂部に設けられる。さらに、容器内のバルブ本体部分の外周が容器頂部の内周に等しいとき、組み立て時に、弾性変形可能なバルブ本体は容器壁との十分な摩擦により容器内のその位置を維持し、同時に当接部はバルブ本体を容器内にさらに押し込むことを防止する。
【００５１】
旋回ナットを含む蓋の実施形態は、旋回ナットがシーリング部分を容器の頂部に押し付ける際にバルブ本体と容器の頂部との間の漏れを防止するので、さらに有益である。具体的には、旋回ナットと容器との間のバルブ本体のシーリング部分の下で容器の開口からの漏れが容器の外部に到達することが防止される。
【００５２】
旋回ナットは、好ましくは、弾性的に変形可能なバルブ本体をクランプするために、硬質プラスチック材料を含む。
【００５３】
好ましい実施形態では、バルブ本体は、流体抜き取り部の頂部から半径方向外向きの固定部分をさらに備える。固定部分は、旋回ナットの環状クランプ部の内周よりも大きな幅を有する。さらに、バルブ本体内に半径方向に延びる溝を有する。溝の上方に固定部分が設けられ、シーリング部分が溝の下方に設けられているので、組み立てられた状態で、バルブ本体の溝およびバルブの固定部分内に環状クランプ部の内側部分が設けられている旋回ナットのクランプ部の少なくとも一部の上方に設けられていることを特徴とする。このようにして、バルブがまだ容器に設けられていない際にも、バルブ本体が旋回ナットに固定される。  
【００５４】
好ましくは、バルブ本体の横方向寸法は、２ｃｍ〜１０ｃｍ、好ましくは３ｃｍ〜６ｃｍである。バルブ本体の横方向の寸法は、ルアーテーパースリップフィッティング先端部のための少なくとも２つの通路を設けるのに十分でなければならず、場合によっては半径方向に延びるシーリング部分も必要とする。バルブ本体の高さ、特にその流体抜き取り部分は、好ましくは５ｍｍ〜１５ｍｍである。シーリング部分は、２ｍｍ〜６ｍｍの厚さを有し得る。
【００５５】
本発明はさらに、本開示による蓋のシステムと、その頂部に開口を有する容器と、に関し、蓋は、容器の頂部の開口の少なくとも一部に設けられている。
【００５６】
容器は、例えば、特に容器の頂部近くに、硬質プラスチックを含み得るが、例えば可撓性プラスチックも含み得る。また容器はガラスを含み得る。
【００５７】
好ましくは、容器は、容器の頂部に雄ねじ部が設けられ、蓋には前述した旋回ナットが設けられ、旋回ナットはその下部に雌ねじを有する。このようにして、蓋を容器上に保持するように蓋が容器にねじ付けられ得る。
【００５８】
別の実施形態では、蓋は、例えば、弾性変形可能なバルブ本体に、例えば、容器の頂部の外側に「被せて（pulled over）」設けられ得る外側部分を形成することによって、違う方法で保持され得る。
【００５９】
前の実施形態では、蓋のバルブ本体が、容器の頂部の開口の上方に設けられていることが予見されている。しかしながら、バルブ本体は、開口内に設けられ得る。バルブ本体が容器内に設けられる実施形態では、バルブ本体は、例えば、バルブ本体の説明で上述した締まりばめを介して、バルブ本体自体を容器を固定するための手段を形成し得る。
【００６０】
好ましくは、本発明のシステムの蓋の一部である旋回ナットは、上述したように、リング状クランプ部分と中空円筒状固定部分とを備え得る。対応するバルブ本体は、中央流体抜き取り部分および密封部分を備える。第１および第２の通路は流体抜き取り部分を通って延び、シーリング部分は流体抜き取り部分から半径方向外側に設けられている。旋回ナットのクランプ部分は、バルブ本体のシーリング部分の少なくとも一部分の頂部に設けられる。したがって、蓋が容器にねじ付けられると、容器と蓋との間を密封するように、シーリング部分が容器の上面と旋回ナットの締め付け部分との間に締め付けられる。
【００６１】
容器は、例えば部分的に充填され、様々な流体製品で充填され得る。例えば、容器は、流動動物用食物または流動動物用薬物で充填され得る。
【００６２】
容器は、容器の頂部の開口を覆う取り外し可能なシーリング箔を備え得る。これは、例えば、充填が蓋及び容器の組立場所から離れた場所で行われる際、容器が流体で充填された後に直接行われ得る。さらに、取り外し可能なシーリング箔は、一定期間に亘って流体の品質を維持するのを助け得る。好ましくは、蓋および容器は、取り外し可能なシーリング箔を取り外すことまたは損傷させることなく、製造業者の場所で組み立てることを可能にする。この組み立てられた状態では、取り外し可能なシーリング箔はバルブ本体の下方に設けられる。次いで、エンドユーザは、蓋および容器のシステムから流体を最初に抜き取る前に、取り外し可能なシーリング箔を取り外す。
【００６３】
本発明は、さらに、本開示による蓋のシステムに関し、容器は頂部に開口を有しており、蓋は、容器の頂部の開口内に少なくとも部分的に形成され、第１のルアーテーパースリップフィッティング先端部を有する第１の注射器は第１の直径を有している。蓋のバルブ本体の第１の通路は、本発明の無針注射器コネクタ蓋に関連して上に開示したように、第１のルアーテーパースリップフィッティング注射器先端部を受容するように適合される。
【００６４】
本発明はさらに、容器から流体を抜き取る方法に関する。この方法では、本開示による蓋、容器および注射器のシステムが使用される。この方法は、
−  第１のルーラーテーパースリップフィッティング先端部を有する第１注射器を蓋の上面から第１の通路内に挿入するステップであって、これにより、先端部の頂部が第１のクロススリットバルブを通って第１の通路全長に延在し、先端部の頂部が第１のクロススリットバルブを通って押し込まれ、先端部が第１の通路全長を通って延びる際、第１の通路が第１の先端部の周りを密封する、ステップと、
−  第１の先端部を介して容器から第１の注射器に流体を抜き取るステップであって、第２のクロススリットバルブは、容器を通気させるために、抜き取りから生じる容器内の負圧に応答して開く、ステップと、
−  注射器先端部を通路から取り外すステップであって、その後、第１のクロススリットバルブが第１の通路を密封し、第２のクロススリットバルブが第２の通路を密封して容器を周囲から密封する、ステップと、
を備える。
【００６５】
さらに、容器には、容器の頂部の開口を覆う取り外し可能なシーリング箔が備えらえ得る。第１の注射器を挿入する前のこの状況における方法は、
−  取り外し可能なシーリング箔を容器から取り外すステップであって、これにより、容器の頂部の開口を開ける、ステップと、
−  蓋を少なくとも部分的に容器の頂部の開口の中または上に固定するステップと、
を備える。
【００６６】
以下、本発明を図面を参照して説明する。
【図面の簡単な説明】
【００６７】
【図１】本発明による蓋の斜視図を示す図である。
【図２】図１の蓋の上面図である。
【図３】頂部が開放された容器に設けられた図１の蓋の側断面図である。
【図４】図１の蓋内にカテーテル先端部を備えた注射器を挿入することを示す図である。
【図５】ルアースリップ（ルアースリップ）先端部を有する注射器を図１の蓋に挿入するところを示す図である。
【図６】偏心ルアースリップ先端部を有する注射器を図１の蓋に挿入するところを示す図である。
【図７】本発明による蓋のさらに別の実施形態を示す図である。
【図８】カテーテル先端部が挿入される、本発明による蓋のさらに別の実施形態を示す図である。
【図９】カテーテル先端部が挿入される、本発明による蓋のさらに別の実施形態を示す図である。
【図１０】ルアースリップ先端部が挿入された図９の蓋を示す図である。
【図１１】バルブ本体の高さを低くした本発明による蓋を示す図である。
【考案を実施するための形態】
【００６８】
これらの図面を参照して、蓋の実施形態及び随意的特徴について説明する。
【００６９】
次に、図１〜図３を参照して、蓋の実施形態を説明する。図３及び後続の図において、蓋及び容器の直立した格納方向が示されていることに留意されたい。
【００７０】
容器２に提供される蓋１は、この実施形態では、バルブ本体３及び旋回ナット４を備える。
【００７１】
好適には、バルブ本体３は、弾性変形可能な材料、例えばエラストマーの一体成形体である。
【００７２】
好適には、旋回ナット４はプラスチック材料の一体成形体である。
【００７３】
容器２は、例えば、ブロー成形されたプラスチック容器は、第１の直径を有する下方円筒形部分２２と第２の直径を有する上方円筒形部分２３と、を備える頂部分２１またはネックを備える。下方円筒形部分２２の外面には、１つまたは複数のねじ２４が形成されている。ここでの第２の直径は、第１の直径よりわずかに小さいが、これとは異なることも可能であり、直径が同じであり得る。
【００７４】
容器の頂部分２１の頂部は、開口２６を取り囲む半径方向内側に延びる部分２５を備える。
【００７５】
バルブ本体３は、中央流体抜取部分３１と、固定部分３２と、シーリング部分３３と、を備えている。固定部分３２及びシーリング部分３３は、共に、中央流体抜取部分３１から半径方向外側に設けられている。
【００７６】
流体抜取部分３１は、第１の通路３７及び第２の通路３８の第１の開口３５及び第２の開口３６をそれぞれ有する平坦な上面３４を備えており、以下でより詳細に説明する。バルブ本体３は、底面３９を備える。
【００７７】
環状の固定部分３２は、前記流体抜取部分の頂部分よりも径方向外側に設けられており、固定部分は、その頂部分に、バルブ本体３及び旋回ナットの組立てを容易にするために、径方向外方に向かって下方に傾斜した面を有している。従って、バルブ本体の上方部分は、円錐台形状である。傾斜面の下方で、固定部分３２は、バルブ本体３内に半径方向に延在する溝３１０を備える。バルブ本体３は、旋回ナット４の開口内にスナップ嵌めされ得る。
【００７８】
流体抜取部分３１の底部分の半径方向外側にリング形状のシーリング部分３３が設けられている。シーリング部分の外周は、容器の頂部分の幅と同様の大きさである。特に、シーリング部分は、その下側外縁から下方に延在する突出部３１１を備え、突出部はシーリング部分の下側外縁に環状リブまたはリングを形成する。リブは、容器の上方円筒部分の直径よりわずかに大きい周囲を有し、上方円筒部分の外側にそれを提供することを可能にしている。
【００７９】
旋回ナット４は、中央開口の周りの環状の平面クランプ部分４１と、円筒状の固定部分４２と、を備える。クランプ部分の内周は、固定部分３２の最大幅よりも小さく、固定部分の溝３１０の直径と比べて同等であるがわずかに大きい。
【００８０】
固定部分の外面は、、使用者による旋回ナットの回転を容易にする、例えば垂直リブ４４を備える１つまたは複数のグリップ部分４３を備える。前記固定部分の下方部分の内面には、１つまたは複数のねじ４５が形成されている。
【００８１】
蓋を組み立てるには、旋回ナット４の開口を通ってバルブ本体３の固定部分３２を底側から押圧し、これにより、バルブ本体が旋回ナット４にスナップ嵌めされる。組み立て後、図１〜図３に示すように、旋回ナットのクランプ部分４１は、バルブ本体のシーリング部分３３の頂部に設けられ、クランプ部分の最も内側部分は、固定部分の溝３１０内に設けられる。流体抜取部分３１の上方部分と固定部分３２とはクランプ部分４１の上に延在する。固定部分３２は、シーリング部分３３と共に、バルブ本体３を旋回ナット４に固定する。
【００８２】
旋回ナット４及びバルブ本体３は、次いで、容器２の頂部分の雄ねじ２４及び旋回ナット４の雌ねじ４５を使用して、容器の頂部分に蓋としてねじ付けられ得、これにより、図３に示される容器及び蓋のシステムが得られる。
【００８３】
バルブ本体３と共に旋回ナット４を容器の頂部分にねじ付けることによって、バルブ本体３のシーリング部分３３は、ここでは頂部分２１の内側に延在する部分２５である、容器の上端部と、旋回ナット４のクランプ部分４１と、の間に挟まれ、これにより、旋回ナット４と容器２のとの間において、旋回ナット４と容器２との間のバルブ本体のシーリング部分３３の下の容器の開口２６から容器の外への漏れを防止するように、容器の頂部分を密封している。シーリング部分３３の下方外側縁の下向き突出部３１１は、漏れをさらに防止するための追加的なシーリング能力をもたらす。
【００８４】
図示の実施形態では、流体抜取部分３１は、第１の通路３７と、バルブ本体の上面３４から底面３９まで延びる第２の通路３８とを備える。第１の通路３７は、下端に第１クロススリットバルブ３１２を備え、第２の通路３８の下端に第２のクロススリットバルブ３１３が最も明確に図示されている。各スリットバルブの２つのスリットは、４つのバルブセクションを形成する。スリットバルブ３１２，３１３は通気バルブとして具体化されている。すなわち、スリットバルブは、周囲圧力に対して容器２内の負圧に応答して開く。
【００８５】
第１の通路３７は、第１の先端がバルブ本体の上面３４から第１の通路３７に挿入可能であり、第１の通路３７が第１の先端の周りを密封する点で、第１の注射器の第１の先細りの注射器先端を受容するように適合される。同様に、第２の通路３８は、第２の注射器の第２のテーパー付きの注射器先端部を受容するようになっており、第２の先端部は、バルブ本体の上面３４から第２の通路３８に挿入可能である。前記先端が第２の通路３８に挿入されたときに第２の通路３８が前記第２の先端の周りを密封することを特徴とする。
【００８６】
本実施形態では、第１の通路３７は第２の通路３８よりも広いので、第１の通路３７は、第２の通路３８が適合するテーパー付きの注射器先端よりも大きな直径を有するテーパー付きの注射器先端を受容するようになっている。
【００８７】
クロススリットバルブ３１２，３１３のどれも実際に強制的に開放されていないとき、例えば、注射器先端部をそれぞれの通路に導入することによって、各クロススリットバルブは、容器を周囲から密封するようにその通路を効果的に封止または閉鎖する。この状況では、蓋１を有する容器２であって、容器２は、流体を含み、バルブ３１２，３１３を介して流体が漏れることなく逆さまになり得る。
【００８８】
図示された実施形態では、バルブ本体の下面３９は、下面３９の周囲領域に対してバルブ本体内に凹部３１４を形成するように、中央流体抜取部分の下面に後退表面部分３１５を含むクロススリットバルブ３１２，３１３を有する通路３７，３８は、バルブ本体３の下面３９の凹部３１４内で終わっている。
【００８９】
図示した実施形態では、第１のクロススリットバルブ３１２と第２のクロススリットバルブ３１３は、図３から明らかなように、ドームが容器の内側に向けられたドーム型である。
【００９０】
クロススリットバルブ３１２，３１３は、それぞれの通路の最下端に配置されており、これにより、ここでは、クロススリットバルブ３１２，３１３のそれぞれのドーム形状の凸面は、クロススリットバルブの底面３０の一部を形成する。それぞれの通路の最下端にあるクロススリットバルブ３１２，３１３のこのような配置は、ここではその凹部３１４である底面３９と概ね同一であり、例えば、円錐形のプラスチック注射器先端部がバルブを貫通してバルブを開放させることを考慮して、例えば、クロススリットバルブ３１２，３１３の開放を容易にする。
【００９１】
クロススリットバルブ３１２，３１３の上方の通路３７，３８は、バルブ本体の上面に向かって広がる円錐形であり、通路に導入されるべき注射器先端部のテーパーと一致するテーパーを有することが好ましい。例えば、テーパーは、ルアーテーパーとして注射器の分野において既知のように、６％のテーパである。好ましくは、テーパーは、上面に小さな入口のベベルを除いて各通路の長さの大部分に延在する。
【００９２】
好適には、バルブ３１２，３１３のスリットは、ドーム形状の全直径に亘って延在し、各通路３７，３８の下端の最も狭い幅と略一致する。
【００９３】
本発明の蓋が設けられた容器からの流体の抜き取りは、図４〜図６を参照して説明される。
【００９４】
図４は、ここでは第１のカテーテル先端部５１である第１の先細先端部を備えた第１の注射器５の端部分を示す。バルブ本体３の第１の通路３７は第１のカテーテル注射器先端部５１を受容するようになっている。バルブ本体３の第１の通路３７内にその上面３４から挿入可能である。前記第１の先端部５１の頂部は、ここで第１のクロススリットバルブに押し込まれる。第１の通路３７は、第１のカテーテル先端部の頂部５２が第１のクロススリットバルブ３１２内に押し込まれ、第１のカテーテル先端部５１が第１の通路３７全体に亘って延在する際に、第１のカテーテル先端部５１の周りを密封する。
【００９５】
第１のカテーテル先端部５１は、第１の通路３７の底部の第１のクロススリットバルブ３１２の上面に機械的圧力を及ぼし、クロススリットバルブ３１２のバルブ部分が下向きに外側に曲がり、第１のカテーテル先端部５１の頂部５２がクロススリットバルブ３１２の中に押し込まれ、これにより、先端部５１が第１の通路３７全体に亘って延在する。
【００９６】
注射器先端部５１が第１の通路３７の全体に亘って延在すると、バルブ本体は第１の注射器５の第１のカテーテル先端部５１の周りを密封する。
【００９７】
流体を抜き取るために、使用者は容器２を上下逆に保持して注射器を容器の下にする。容器２内の流体は、ここで注射器によって容器から抜き取られ、注射器の第１のカテーテル先端部５１を介して注射器５に入り得る。
【００９８】
流体が容器２から抜き出されると、負圧または部分真空が潰れない容器２内で生じる。この負圧は、十分な流体の抜き取りを妨げるかまたは不可能にする可能性があり、従って望ましくない。
【００９９】
蓋１において、第１の通路３７に導入されたテーパー付きの第１の注射器先端部５１を有する注射器５を用いて流体が容器２から抜き取られる際、同時に注射器の先端部によって開放されていない第２のクロススリットバルブ３１３は、負圧に応じて開口して、通気バルブとして働き、容器に周囲空気を供給し、これにより、負圧を除去する。言い換えると、第２のクロススリットバルブ３１３は、バルブ本体の他の通路に挿入された注射器先端部を介して流体が抜き取られる際に、容器２を通気させることを可能にする。実際には、通気は、それぞれのバルブの微小開度イベントで行われる。
【０１００】
場合によっては容器を上下逆にしたまま十分な流体が容器２から引き抜かれた際、使用者は第１のテーパー付き注射器先端部、ここではカテーテル先端部５１を第１の通路３７から引っ込めることができ、次いで、第１のクロススリットバルブ３１３はその弾性により自動的に閉じ、第１の通路３７を密封する。さらなる圧力がなくなり、第２のクロススリットバルブ３１３もまた自動的に閉じ、第２の通路３８を密封する。第１のクロススリットバルブ３７及び第２のクロススリットバルブ３８が閉じると、蓋１が容器２を周囲から密封する。
【０１０１】
第１のバルブ及び第２のバルブ３１２，３１３は、これらが両方とも抜き取りバルブ及び通気バルブとして働くように構成されている。従って、図５，６に示すように、テーパー付きの第２の注射器先端部、ここではルアースリップ注射器先端部６１を有する第２の注射器６を使用して、他方の通路３８を介して容器２から流体を抜き取ることができる。バルブ本体３の第２の通路は、第２のルアースリップ注射器先端部６１を受容し、これにより、ルアースリップ注射器先端部６１の頂部６２が、場合によっては第２のクロススリットバルブ３１３を貫通するように第２のクロススリットバルブ３１３内に押し込まれ、かつ、第２のルアースリップ先端部６１の頂部６２が第２のクロススリットバルブ３１３を開き、第２のルアースリップ先端部６１が第２の通路３８全体に亘って延在する際に、第２の通路３８が第２のルアースリップ先端部６１の周りを密封する
【０１０２】
第２の先端部６１は、バルブ本体３の上面３４から第２の通路３８内に挿入され得る。第２の先端部６１は、第２のクロススリットバルブ３１３の上面に機械的圧力を加え、クロススリットバルブ３１３は下向き及び外向きに曲がるので、第２の先端部６１の頂部６２はクロススリットバルブ３１３内に押し込まれ、場合によってはこの先端部６１が第２の通路３８全体に亘って延在する。
【０１０３】
この実施形態では、第２の通路３８は、第２のルアースリップ注射器先端部を受容するようにも構成されており、第２の通路３８を画定するバルブ本体の面がルアーテーパと同一かまたはわずかに小さいテーパーを有する円錐面を有し、ルアースリップ注射器先端部６１の周りを半径方向に密封するように、ルアースリップ注射器先端部６１の第２の直径と同一かまたはそれよりわずかに小さいものの、同等である。
【０１０４】
第２の通路３８は、例えば密封する。第１の注射器６の第２のルアーテーパースリップフィッティング先端部６１の周りに半径方向に密封する。容器２内の流体は、第２のルアーテーパースリップフィッティング先端部６１を介して前記容器から第２の注射器６に抜き取ることができる。第２の通路３８を通って前記容器から流体が抜き取られると、第１のクロススリットバルブ３１２は、容器に空気を通すことを可能にする。
【０１０５】
ルアーテーパー注射器先端部は、図５に示す中央ルアースリップ注射器先端部６１を有する注射器の中央に配置され得るが、図６の偏心ルアースリップ注射器先端部６１を有するように中心外にも配置され得る。
【０１０６】
また、蓋は同じタイプのテーパー付きの注射器先端部に適合する２つ以上の通路を備え得る。２つの通路それぞれは、同じテーパー角度を有するルアースリップ注射器先端部を受容するよう構成される。同じタイプのテーパー付きの注射器先端部を受容するように適合されたこれらの通路は、例えば、同一のテーパー及び同一の直径を有する２つのルアースリップ注射器先端部といった同じタイプの注射器先端部を同一の直径で受容するように構成され得る。このような、ルアースリップ注射器先端部を受容するように適合された２つの同一の通路を有する実施形態が図７に示される。同様に、両方がカテーテル注射器先端部を受容するように構成された２つの同一の通路３７，３８を備え、カテーテル注射器先端部が同じテーパー及び直径を有する実施形態が図８に示されれる。
【０１０７】
図９及び図１０の実施形態は、両方ともカテーテル注射針先端部５１及びルアースリップ先端部６１の両方を受容するように適合された２つの同一の通路３７，３８を有する蓋を示す。通路３７，３８はバルブ本体を貫通して延在し、前述したように通気バルブとして働くクロススリットバルブ３１２，３１３を備える。
【０１０８】
第１の通路３７は、その最下端に、第１の通路３７内に半径方向への突出部３７１を備え、この第１の通路３７の下端に設けらた第１の突出部３７１れ、第１の通路に第１の収縮部部または肩部３７２を形成している。この実施形態では、第１のクロススリットバルブ３１２が収縮部３７２内に設けられている。しかしながら、第１のクロススリットバルブ３１２が、収縮部または肩部３７２の下方に設けられてもよい。
【０１０９】
第１の通路３７は、第１のカテーテル注射器先端部５１を受容するように構成されており、第１のカテーテル先端部５１がバルブ本体３の上面３４から第１の通路３７に挿入可能な第１の直径を有しており、第１の突出部３７１が第１の通路３７へのカテーテル注射器先端部５１の挿入を制限し、第１のカテーテル先端部５１の頂部５２が第１の突出部３７１上に配置される際、第１のクロススリットバルブ３１２が、カテーテル注射器先端部５１が配置される第１の注射器５のプランジャの後退によって生成された負圧によって開かれ得、第１のカテーテル先端部５１が第１の突出部３７１上に配置されているときは、第１のカテーテル先端部５１の周りを密封する。
【０１１０】
さらに、第１の通路３７は、第１のルアースリップ先端部直径を有する第１のルアースリップ注射器先端部６１を受容するように構成され、第１のルアースリップ注射器先端部６１がバルブ本体の上面３４から第１の通路３７に挿入可能であり、ルアースリップ先端部が第１の収縮部３７２内に挿入可能であり、ルアースリップ先端部が第１の収縮部３７２に挿入されているとき、突出部３７１が第１のルアースリップ注射器先端部３７の周りを密封し、かつ、第１のルアースリップ注射器先端部の頂部６２は、第１の通路３７全体に亘って延在するように第１のクロススリットバルブ３１２を貫通させられ得る。
【０１１１】
従って、図９に示すように、第１の突出部３７１によって制限されるので、カテーテル先端部５１は通路の一部のみ延在し得、ルアースリップ注射器先端部６１は、同じ通路内、通路の収縮部内に挿入され、図１０において第２の通路３８に挿入されたルアースリップ注射器先端部６１が示されるよに通路全体に亘って延在し得る。
【０１１２】
図９及び図１０の実施形態では、第２の通路３８は、第１の通路３７と同様の方法で、カテーテル注射器先端部５１及びルアースリップ注射器先端部６１の両方を受容するように構成される。このために、第２の通路３８は、第２の通路３８内に変形方向の突出部３７を備え、第２の突出部は第２の通路３８の下方端に設けれ、第２の通路３８内に第２の収縮部３８２を形成する。
【０１１３】
本発明の蓋１の異なる実施形態において、流体抜取部分３１の高さは変化し得る。例えば、図１１に示すように、流体抜取部分３１の高さをより小さくして、よりコンパクトな蓋１を提供することができる。尚、流体抜取部分３１の高さが低くされても、固定部分３２には溝３１０が設けられており、この溝３１０を介してバルブ本体３が旋回ナット４に固定される。
【符号の説明】
【０１１４】
１  無針注射器コネクタ蓋
２  容器
３  プラスチックバルブ本体
３  バルブ本体
４  旋回ナット
５  第１の注射器
６  第２の注射器
２１  頂部分
２２  下方円筒形部分
２３  上方円筒形部分
２６  開口
３０  底面
３１  流体抜取部分
３２  固定部分
３３  シーリング部分
３４  上面
３５  第１の開口
３６  第２の開口
３７  第１の通路、第１のクロススリットバルブ
３８  第２の通路、第２のクロススリットバルブ
３９  底面、下面
４１  クランプ部分
４２  固定部分
４３  グリップ部分
４４  垂直リブ
４５  雌ねじ部
５１  第１の先端部
５１  第１のルアースリップ注射器先端部
５２  頂部
６１  第２の先端部
６１  ルアースリップ先端部
６２  頂部
３１０  溝
３１１  突出部
３１２  第１のバルブ
３１３  第２のバルブ
３１３  バルブ
３１４  凹部
３１５  後退表面部分
３７１  第１の突出部
３７２  第１の収縮部、肩部
３８１  第２の突出部
３８２  第２の収縮部
【図１】
0003219248.tif 000003
【図２】
0003219248.tif 000004
【図３】
0003219248.tif 000005
【図４】
0003219248.tif 000006
【図５】
0003219248.tif 000007
【図６】
0003219248.tif 000008
【図７】
0003219248.tif 000009
【図８】
0003219248.tif 000010
【図９】
0003219248.tif 000011
【図１０】
0003219248.tif 000012
【図１１】
0003219248.tif 000013
【手続補正書】
【提出日】平成30年8月21日(2018.8.21)
【手続補正１】
【補正対象書類名】実用新案登録請求の範囲
【補正対象項目名】全文
【補正方法】変更
【補正の内容】
【実用新案登録請求の範囲】
【請求項１】
その頂部に開口を有する容器に設けられる無針注射器コネクタ蓋であって、前記蓋は、
前記容器の前記頂部で前記開口内または上方に設けられる弾性的に変形可能なプラスチックバルブ本体であって、上面および底面を有するバルブ本体を備え、
前記バルブ本体は、第１の通路及び第２の通路を備え、各第１及び第２の通路は、前記上面から前記底面まで前記バルブ本体を通って延在しており、
前記第１の通路は、前記第１の通路の最下端に第１のクロススリットバルブを備え、
前記第１のクロススリットバルブは、通気バルブとして形成され、
前記第２の通路は、前記第２の通路の最下端に第２のクロススリットバルブを備え、
前記第２のクロススリットバルブは、通気バルブとして形成され、
前記第１の通路は、第１の直径を有するテーパー付きの第１の注射器先端部を受容するように構成されており、前記第１の先端部（５１）は、前記バルブ本体の前記上面から前記第１の通路に挿入可能であり、かつ、前記第１の通路は、前記第１の先端部が前記第１の通路に挿入されている際に、前記第１の先端の周りを密封し、
前記第２の通路は、第２の直径を有するテーパー付きの第２の注射器先端部を受容するように構成されており、前記第２の先端部は、前記バルブ本体の前記上面から前記第２の通路に挿入可能であり、かつ、前記第２の通路は、前記第２の先端部が前記第２の通路に挿入されている際に、前記第２の先端の周りを密封し、
前記第１の通路が形成される第１のテーパー付き注射器先端部を使って前記第１の通路を介して、前記蓋が設けられる前記容器から流体が引き抜かれる際、前記第２のクロススリットバルブが引抜の結果生じる前記容器内の負圧に応じて開き、これにより、前記容器が通気し、
前記第２の通路が形成される第２のテーパー付き注射器先端部（６１）を使って前記第２の通路を介して、前記蓋が設けられる前記容器から流体が引き抜かれる際、前記第１のクロススリットバルブ（３１３）が引抜の結果生じる前記容器内の負圧に応じて開き、これにより、前記容器を通気させることを特徴とする蓋。
【請求項２】
前記第１の直径は、前記第２の直径以上であることを特徴とする請求項１に記載の蓋。
【請求項３】
前記第１のテーパー付き注射器先端部は、第１のルアースリップ注射器であり、前記第１の通路は、前記第１のルアースリップ注射器を受容するようにさらに構成されており、前記第１のルアースリップ先端部の頂部が前記第１のクロススリットバルブを通って押し込まれ、前記第１のルアースリップ先端部の頂部が前記第１のクロススリットバルブを通って押し込まれ、前記第１のルアースリップ先端部が前記第１の通路全体に亘って延在する際、前記第１の通路は、前記第１のルアースリップ先端部の周りを密封することを特徴とする請求項１に記載の蓋。
【請求項４】
前記第１の通路は、前記第１のルアースリップ注射器を受容するようにさらに構成されており、前記第１の通路を画定している前記バルブ本体の面が、ルアーのテーパーより小さいテーパーと、前記第１のルアースリップ先端部の最初の直径より小さいが同様である直径と、を有する円錐状の面を有し、これにより、前記ルアースリップ注射器先端部の周りを半径方向に密封することを特徴とする請求項３に記載の蓋。
【請求項５】
前記第１のテーパー付き注射器先端部は、第１のカテーテル注射器先端部であり、前記第１の通路が前記第１のカテーテル注射器先端部を受容するようにさらに構成され、前記第１のカテーテル先端部の頂部が、前記第１のクロススリットバルブを通って押し込まれ、前記第１のカテーテル先端が第１のクロススリットバルブを通って押し込まれ、前記第１のカテーテル先端部が前記第１の通路全体に亘って延在する際、前記通路は前記第１のカテーテル先端部の周りを密封することを特徴とする請求項１に記載のカテーテル。
【請求項６】
前記第１の通路は、前記第１の通路への第１の径方向突出部をさらに備え、前記第１の突出部は、前記第１の通路の下端に設けられており、前記第１の通路内に第１の収縮部を形成し、
前記第１のテーパー付き注射器先端部は、第１のカテーテル注射器先端部であり、前記第１の通路は、前記第１のカテーテル先端部を受容するようにさらに構成されており、前記第１の突出部が、前記第１の通路内への前記カテーテル注射器先端部の挿入を制限し、前記第１のカテーテル先端部の頂部が前記第１の突出部上に配置される際、前記第１のカテーテル先端部が配置された第１の注射器のプランジャの後退によって生成される負圧によって開かれ得、前記第１のカテーテル先端部が前記第１の突出部上に配置されている際は、前記第１の通路は、前記第１のカテーテル先端部の周りを密封することを特徴とする請求項１に記載の蓋。
【請求項７】
前記第１の通路は、第１の直径を有する第１のルアースリップ注射器先端部を受容するようにさらに構成されており、前記第１のルアースリップ注射器先端部は、前記バルブ本体の前記上面から前記第１の通路内へ挿入可能であり、前記ルアースリップ注射器先端部は、前記第１の通路内の第１の収縮部内へ挿入可能であり、前記ルアースリップ注射器先端部が前記第１の収縮部内に挿入されている際は、前記第１の突出部が前記第１のルアースリップ注射器先端部の周りを密封し、前記第１のルアースリップ注射器先端部の前記頂部は、前記第１のクロススリットバルブを通って押し込まれ、これにより、前記第１の通路全体に亘って延在することを特徴とする請求項６に記載の蓋。
【請求項８】
前記第２のテーパー付き注射器先端部は、第２のルアースリップ注射器先端部であり、前記第２の通路は、前記第２のルアースリップ先端部を受容するようにさらに構成され、前記第２のルアースリップ注射器先端部の頂部は、第２のクロススリットバルブを通って押し込まれ得、前記第２のルアースリップ注射器先端部の頂部が、第２のクロススリットバルブを通って押し込まれ、前記第２のルアースリップ先端部が第２の通路全体を亘って延在する際、前記第２の通路は第２のルアースリップ注射器先端部の周りを密封することを特徴とする請求項１に記載の蓋。
【請求項９】
前記第２の通路は、前記第２のルアースリップ注射器先端部を受容するようにさらに構成されており、前記第２の通路を画定している前記バルブ本体の面が、ルアーのテーパーより小さいテーパーと、前記ルアースリップ先端部の第２の直径より小さいが同様である直径と、を有する円錐状の面を有し、これにより、前記ルアースリップ注射器先端部の周りを半径方向に密封することを特徴とする請求項８に記載の蓋。
【請求項１０】
前記第２のテーパー付き注射器先端部は、第２のカテーテル注射器先端部であり、前記第２の通路が前記第２のカテーテル注射器先端部を受容するようにさらに構成されており、前記第２のカテーテル先端部の頂部が、前記第２のクロススリットバルブを通って押し込まれ、前記第２のカテーテル先端が前記第２のクロススリットバルブを通って押し込まれ、第２のカテーテル先端部が前記第２の通路全体に亘って延在する際、前記通路は前記第２のカテーテル先端部の周りを密封することを特徴とする請求項１に記載のカテーテル。
【請求項１１】
前記第２の通路は、前記第２の通路への第２の径方向突出部をさらに備え、前記第２の突出部は、前記第２の通路の下端に設けられており、前記第２の通路内に第２の収縮部を形成し、
前記第２のテーパー付き注射器先端部は、第２のカテーテル注射器先端部であり、前記第２の通路は、前記第２のカテーテル先端部を受容するようにさらに構成されており、前記第２の突出部が、前記第２の通路内への前記第２のカテーテル注射器先端部の挿入を制限し、前記第２のカテーテル先端部の頂部が前記第２の突出部上に配置される際、前記第２のカテーテル先端部が配置された第２の注射器のプランジャの後退によって生成される負圧によって開かれ得、前記第２のカテーテル先端部が前記第１の突出部上に配置されている際は、前記第２の通路は、前記第２のカテーテル先端部の周りを密封することを特徴とする請求項１に記載の蓋。
【請求項１２】
前記第２の通路は、第２の直径を有する第２のルアースリップ注射器先端部を受容するようにさらに構成されており、前記第２のルアースリップ注射器先端部は、前記バルブ本体の前記上面から前記第２の通路内へ挿入可能であり、前記ルアースリップ注射器先端部は、前記第２の通路内の第２の収縮部内へ挿入可能であり、前記第２のルアースリップ注射器先端部が前記第２の収縮部内に挿入されている際は、前記第２の突出部が前記第２のルアースリップ注射器先端部の周りを密封し、前記第２のルアースリップ注射器先端部の前記頂部は、前記第２のクロススリットバルブを通って押し込まれ、これにより、前記第２の通路全体に亘って延在することを特徴とする請求項１１に記載の蓋。
【請求項１３】
前記蓋は、環状のクランプ部分と中空の円筒状の固定部分とを備える旋回ナットをさらに備えており、前記バルブ本体は、中央の流体抜取部分とシーリング部分とを備え、前記第１及び第２の通路、前記流体抜取部分を貫通して延在し、前記シーリング部分は、前記流体抜取部分から径方向外側に設けられ、前記旋回ナットの前記クランプ部分は、前記バルブ本体の前記シーリング部分の少なくとも一部の上に設けられることを特徴とする請求項１に記載の蓋。
【請求項１４】
前記バルブ本体は、前記流体抜き取り部分の上方部分から半径方向外側にある固定部分であって、前記旋回ナットの前記環状クランプ部分の内周よりも大きい最大幅を有する固定部分と、前記バルブ本体内に半径方向に延在する溝と、を備え、前記固定部分は前記溝の上の設けられており、前記シーリング部分は、前記溝の下に設けられており、これにより、組立状態において、環状のクランプ部分の内側部分が前記溝内に設けられ、前記バルブ本体の前記固定部分）は、前記前記旋回ナットの前記クランプ部分の上に少なく部分的に設けられ、これにより、前記バルブ本体を前記旋回ナットに固定することを特徴とする請求項１に記載の蓋。
【請求項１５】
前記バルブ本体の前記底面は、前記バルブ本体の下方部分に凹部を形成するように後退した面部分を備え、前記第１の通路及び第２の通路は、前記バルブ本体の前記凹部内で終端することを特徴とする１に記載の蓋。
【請求項１６】
前記クロススリットバルブそれぞれは、上面及び底面を有し、各クロススリットバルブがドーム形状であり、前記クロススリットバルブぞれぞれの底面は、前記ドーム形状のクロススリットバルブの凸面として構成されていることを特徴とする請求項１に記載の蓋。
【請求項１７】
前記第１のクロススリットバルブは、第１の上面及び第１の底面を有し、前記第１のクロススリットバルブが閉じられた際、前記第１の底面は、前記バルブ本体の前記底面の隣接部分と面一であり、
前記第２のクロススリットバルブは、第２の上面及び第２の底面を有し、前記第２のクロススリットバルブが閉じられた際、前記第２の底面は、前記バルブ本体の前記底面の隣接部分と面一であることを特徴とする請求項１に記載の蓋。
【請求項１８】
容器であって、前記容器から流体が抜き取られる際に、前記容器内に負圧が生じ、その頂部に開口を有する容器と、
請求項１に記載の蓋であって、前記蓋は、前記容器の頂部に配置される、蓋と、
を備えるシステムであって、
前記容器には、前記容器の頂部分に雄ねじ部分が設けられ、前記蓋部は、前記容器上に前記蓋を保持する雌ねじ部を有する旋回ナットをさらに備え、前記旋回ナットは、環状のクランプ部分と中空の円筒状の固定部分とを備え、
前記バルブ本体は、中央流体抜き取り部分及びシーリング部分を備え、前記第１および第２の通路は、前記流体抜き取り部分を貫通して延在し、
前記シーリング部分は、前記流体抜き取り部分から半径方向外側に設けられ、旋回ナットのクランプ部分は、前記バルブ本体の前記シーリング部分の少なくとも一部の頂部上に設けられ、前記蓋は前記容器上に保持される際、前記シーリング部分は、前記容器の上面と前記旋回ナット（４）の前記クランプ部分との間に挟まれ、これにより、前記容器と前記蓋との間を密封することを特徴とするシステム。
【請求項１９】
請求項１記載の蓋、
その頂部に開口を有する容器であって、前記蓋は、前記容器（２）前記頂部に前記開口内または前記開口より上方に少なくとも部分的に配置される、容器、
第１の直径を有する第１のテーパー付き注射器先端部を有する第１の注射器（５）であって、前記蓋の前記第１の通路は、前記第１のテーパー付きの注射器先端部を受容するように構成されている、第１の注射器、及び、
第２の直径を有する第２のテーパー付き注射器先端部を有しする第２の注射器であって、前記蓋の前記第２の通路は、前記第２のテーパー付きの注射器先端部を受容するように構成されている、第２の注射器、
を有することを特徴とするシステム。